(57)【要約】      （修正有）【課題】宝石や装飾部品が固定されてなる装身具において、従来の装身具にある宝石を固定するために設けられた凹部分や、爪をなくし、宝石を固定する手間や時間を大幅に短縮し、宝石の欠落の心配のない安定した品質の装身具とし、さらに、機能的なデザインを自由自在に施すことのできる装身具を提供する。【解決手段】装身具本体枠に透明ガラス３ａ，３ｂ複数枚と透明弾性保有樹脂４を用いて、宝石５や装飾部品を透明弾性保有樹脂の弾性力を利用して固定する方法を用いることによって、宝石や装飾部品を容易に固定でき、なおかつ透明性があって宝石の見栄えを損なわず、機能的なデザインを自由自在にすることが可能となった装身具。【選択図】図２
2016198171.tif 000002
【特許請求の範囲】
【請求項１】
宝石や装飾部品を使用する装身具において、貴金属製の本体枠に透明ガラスを挿入した後、透明ガラス上に宝石や装飾部品を配置し、その上に透明弾性保有樹脂を設置し、さらに透明ガラスを透明弾性保有樹脂が宝石や装飾部品に少し食い込むように挿入し、本体金属枠を加工して透明ガラスを固定する、透明弾性保有樹脂の弾性力を利用して宝石や装飾部品を固定する装身具とその製造方法。
【請求項２】
透明ガラスがサファイヤガラスである請求項１に記載の装身具。
【請求項３】
透明ガラスに着色がされた請求項1に記載の装身具。
【請求項４】
透明ガラス部分が、透明樹脂である請求項１に記載の装身具。
【請求項５】
透明ガラス部分が、天然宝石もしくは人工宝石である、請求項１に記載の装身具。
【請求項６】
宝石が天然及び人工である請求項１に記載の装身具。
【請求項７】
透明弾性保有樹脂が、シロキサン結合による主骨格を持つ、人工高分子化合物である請求項１に記載の装身具。
【請求項８】
透明弾性保有樹脂が、あらかじめ透明ガラスに必要量貼付されている部材を用いた請求項１に記載の装身具。
【請求項９】
透明弾性保有樹脂が着色された、請求項１に記載の装身具。
【請求項１０】
透明ガラスと透明弾性保有樹脂を複数組使用し、裏表、さらに複数面に宝石や装飾部品を配置した、請求項１に記載の装身具。
【請求項１１】
透明弾性保有樹脂の両側に宝石や装飾部品を配置してなる請求項１に記載の装身具。
【発明の詳細な説明】
【技術分野】
【０００１】
この発明は、身に着ける装身具において、その機能性と自由性とデザイン性を高め、作業性をも大幅に高めることができる装身具に関するものである。
【背景技術】
【０００２】
一般的な装身具に宝石を固定する場合、宝石は装身具本体の素材部分に設けられた、爪と呼ばれる突起部分を宝石に押し付けるように曲げて固定する。
【０００３】
これは、装身具本体に設けた宝石を設置する箇所が、宝石が動かないようにする目的で凹状に形成されており、そこに宝石を設置した後、爪を押し曲げて宝石を固定する方法が、最善とされているからである。
【０００４】
しかしながら、現在の装身具の宝石設置は多数個が主流となり、宝石の爪留めの加工に多くの時間を割くようになっていて、それに伴う経費増や個体別の品質の不均等といった諸問題が伴うようになっている。
【０００５】
特開２０１４−４６０６０のように、本体に爪を設けず、接着剤等を使用した形態もあるが、宝石と宝石との間に気泡が形成されやすいといった品質上の問題があり、問題解決に至っていない。
【先行技術文献】
【特許文献】
【０００６】
【特許文献１】特開２０１４−４６０６０
【発明の概要】
【発明が解決しようとする課題】
【０００７】
この発明は前述した問題点を解決するものであり、装身具本体に爪を設ける必要がなく、
容易に大量の宝石であっても安定した品質で固定できる、装身具を提供するものである。
【課題を解決するための手段】
【０００８】
以上の課題を解決するため、この発明では、本体を構成する貴金属製の枠と、１枚、もしくは複数枚の透明なガラス、さらに透明な弾性のある樹脂から成り立っていて、前述した問題を解決できるようにした。
【０００９】
この発明は、宝石が１個であっても複数個であっても、宝石や装飾部品の設置が容易で、自由なデザインをすることができる。
【００１０】
この発明は、宝石の代わりに、貴金属や金属、またはその他の素材を使用した装飾部品などを容易に固定することができるので、幅広いデザインの展開を行うことができる。
【発明の効果】
【００１１】
この発明によれば、１個もしくは複数の宝石や装飾部品を使用する装身具において、宝石や装飾物の固定に多くの時間を費やさなければならないコスト上昇の問題や、宝石が欠落すると言った品質の不均等が起こらないので、その機能性とデザイン性を高め、作業性も大幅に向上することができる装身具の提供をすることができるようになった。
【図面の簡単な説明】
【００１２】
【図１】この発明の完成図である。
【００１３】
【図２】この発明の分解図である。
【発明を実施するための形態】
【００１４】
図１は、本発明の形態で、複数個の宝石を使用する装身具１０である。
【００１５】
本発明は、図２に示すように、本発明は、本体枠１、ネックレス通し用部品２、透明ガラス３ａ、３ｂ、透明弾性保有樹脂４、宝石５から構成される。
【００１６】
［実施例１］
まず、装身具の全体像を構成し、貴金属製本体枠のデザインを、透明ガラスや透明弾性保有樹脂、宝石や装飾部品が入るスペースを考慮して行う。
【００１７】
デザインを終えた貴金属製本体枠は、３Ｄプリンター等を使用して原型製作し、量産ができるようにゴム型を製作しておく。
【００１８】
前述で製作したゴム型から取り出した、ワックス形状は、ロストワックス製法で貴金属の素材にし、必要箇所の調整、研磨、部品接合などを行う。
【００１９】
次に、本発明の装身具に正面側となる透明ガラス３ａを挿入し、所定の箇所で固定する。
【００２０】
次に、透明ガラス３ａの裏側となる部分、すなわち本体枠の内側部分方向より、宝石や
装飾物を一つずつ置いていく。
【００２１】
宝石や装飾物の設置がすべて終わった後に、透明弾性保有樹脂を本体枠に挿入する。
【００２２】
透明弾性保有樹脂は、設置した宝石や装飾部品にわずかに触れない距離でいったん仮に固定する。
【００２３】
次に、透明ガラス３ｂを透明弾性保有樹脂側から挿入し、透明弾性保有樹脂が先に設置した宝石や装飾物の厚みに対して数パーセントから数十パーセント食い込む位置まで押し込む。
【００２４】
前記で押し込んだ透明ガラス３ｂは、そのままでは透明弾性保有樹脂の弾性力で押し戻されるので、特殊な固定治具を用いて押し戻されないよう固定しておく。
【００２５】
次に、貴金属製の本体枠の外周を、透明ガラス３ｂが固定されるよう倒し込み、本体枠への部材組み込み作業が終了する。
【００２６】
前述したすべての部材の組み込みが終了した後、防水効果が得られるよう、透明ガラス３ａと３ｂと本体枠の若干の隙間に透明な接着剤等を塗付する。
【００２７】
接着剤を塗布した装身具１０は、研磨を行い、必要であればメッキを施し、ネックレス通し用部品２にチェーンを通して、ペンダントネックレスとして完成をする。
【００２８】
完成した装身具１０は、設置した宝石の周囲に爪や金属部分がまったく見えない透明性の高いペンダントネックレスとなったので、非常に斬新なデザインが展開できる機能的なものとなった。
【産業上の利用可能性】
【００２９】
この発明の装身具は、従来の装身具のような貴金属製の枠に凹部分を設けず、宝石の固定をする爪部分もないので、製作時間を大幅に短縮し、しかも宝石脱落の心配のない、機能的なデザインを有した付加価値の高い装身具を提供することが可能となった。
【符号の説明】
【００３０】
１    本体枠
２    ネックレス通し用部品
３ａ  透明ガラス
３ｂ  透明ガラス
４    透明弾性保有樹脂
５    宝石
１０  装身具全体
【図１】
2016198171.tif 000003
【図２】
2016198171.tif 000004